(57)【特許請求の範囲】
【請求項１】
略直方体である製品上面にあって側面側に張り出した包装天カバーと、前記製品の側面を覆う側面カバーと、前記製品の底面を固定する包装用固定台と、前記包装天カバーと前記包装用固定台を締結する輪状の包装用バンドとを備え、前記包装天カバーと前記製品との間に剛性のある補強板を介して、前記包装天カバーを前記製品上面に取り付けるとともに、前記包装天カバーは、上下にフラップを有する１つの段ボ−ル箱からなり、上フラップは９０度内折りされて前記外箱の天面を形成し、下フラップは１８０度内折りされた２重構造から前記製品の４つの側面に対応する側面を形成し、さらに前記下フラップを前記上フラップ折り曲げ位置で下方に折り、さらに前記下フラップの外方面が前記製品側面に接するように上方に折ることで前記補強板を形成し、さらに前記下フラップが前記上フラップと突き当たる箇所にて前記上フラップと前記下フラップとが密着するように折り曲げ、かつ、異なる４つの前記下フラップの端面同士が突き当たるようにしたことを特徴とする包装部材。
【請求項２】
前記補強板を形成する下フラップと前記天面を形成する上フラップとに囲まれた空間に、発泡樹脂性の緩衝材を配設したことを特徴とする請求項１に記載の包装部材。
【請求項３】
前記包装天カバーは、防水性と剛性のある段ボ−ル板を使用して形成したことを特徴とする請求項１または２に記載の包装部材。
【発明の詳細な説明】
【技術分野】
【０００１】
本発明は、ヒートポンプ給湯機の貯湯ユニットなどの背高さのある重量物製品の包装部材に関するものである。
【背景技術】
【０００２】
従来のこの種の包装部材は、図７に示すものである（例えば、特許文献１参照）。図７に示す包装部材は、包装天カバー４２と、包装天カバー４２を支える包装支柱４３と、製品４４の側面を覆う包装側面カバー４５と、包装固定台４６とを備えている。そして、包装支柱４３は断面がＬ字形で製品に角付けされ上からの荷重をささえるよう補強されており、倉庫での多段積みができるようになっている。
【特許文献１】特開２００２−３４７８８０号公報
【発明の開示】
【発明が解決しようとする課題】
【０００３】
しかしながら、運搬用車両の積載高さ制限の問題や、荷台や倉庫の天井高さの関係から、背高さのある製品は包装天カバー４２に充分な厚みが確保できないため、製品天部の緩衝性能が低下するという課題があった。
【０００４】
車両の荷台では、転倒防止のために天部にロープを掛けて縛る場合が多く、ロープによる局所応力で製品が変形するという不具合があった。
【０００５】
また、製品が転倒した場合でも、天面周囲の稜線や角が壁面に衝突するなどして製品が変形するという不具合が生じていた。
【０００６】
本発明は、上記課題を解決するものであり、輸送時に製品が変形することを抑制した製品を包装する包装部材を提供することを目的とする。
【課題を解決するための手段】
【０００７】
上記課題を達成するために、本発明の包装部材は、略直方体である製品上面にあって側面側に張り出した包装天カバーと、前記製品の側面を覆う側面カバーと、前記製品の底面を固定する包装用固定台と、前記包装天カバーと前記包装用固定台を締結する輪状の包装用バンドとを備え、前記包装天カバーと前記製品との間に剛性のある補強板を介して、前記包装天カバーを前記製品上面に取り付けるとともに、前記包装天カバーは、上下にフラップを有する１つの段ボ−ル箱からなり、上フラップは９０度内折りされて前記外箱の天面を形成し、下フラップは１８０度内折りされた２重構造から前記製品の４つの側面に対応する側面を形成し、さらに前記下フラップを前記上フラップ折り曲げ位置で下方に折り、さらに前記下フラップの外方面が前記製品側面に接するように上方に折ることで前記補強板を形成し、さらに前記下フラップが前記上フラップと突き当たる箇所にて前記上フラップと前記下フラップとが密着するように折り曲げ、かつ、異なる４つの前記下フラップの端面同士が突き当たるようにしたことにより、天部側の稜および角を補強することで、製品天部の局所応力に対する緩衝性能を確保し、なおかつ、包装天カバーの厚みが薄くでき包装高さをより低くすることで、運搬作業性を向上することができる。
【発明の効果】
【０００８】
本発明は、輸送時に製品が変形することを抑制した製品を包装する包装部材を提供することができる。
【発明を実施するための最良の形態】
【０００９】
第１の発明の包装部材は、略直方体である製品上面にあって側面側に張り出した包装天カバーと、前記製品の側面を覆う側面カバーと、前記製品の底面を固定する包装用固定台と、前記包装天カバーと前記包装用固定台を締結する輪状の包装用バンドとを備え、前記包装天カバーと前記製品との間に剛性のある補強板を介して、前記包装天カバーを前記製品上面に取り付けるとともに、前記包装天カバーは、上下にフラップを有する１つの段ボ
−ル箱からなり、上フラップは９０度内折りされて前記外箱の天面を形成し、下フラップは１８０度内折りされた２重構造から前記製品の４つの側面に対応する側面を形成し、さらに前記下フラップを前記上フラップ折り曲げ位置で下方に折り、さらに前記下フラップの外方面が前記製品側面に接するように上方に折ることで前記補強板を形成し、さらに前記下フラップが前記上フラップと突き当たる箇所にて前記上フラップと前記下フラップとが密着するように折り曲げ、かつ、異なる４つの前記下フラップの端面同士が突き当たるようにしたことにより、天部側の稜および角を補強することで、製品天部の局所応力に対する緩衝性能を確保し、なおかつ、包装天カバーの厚みが薄くでき包装高さをより低くすることで、運搬作業性を向上することができる。
【００１０】
また、前記包装天カバーと、前記補強板とを一体的に構成したことにより、包装材料の省資源化を実現することができる。
【００１１】
また、製品の側面側に張り出した包装天カバーは４面一体でかつ２重に構成しており、外部からの衝撃に対し非常に高い強度を得ることができる。また、部品点数が削減されて、組み立てが容易となっており生産性向上に寄与する。
【００１２】
さらに、段ボ−ルの断面はハニカム構造であり、端面同士が合致した箇所は強度があって、包装天カバーに加わる衝撃は分散されて端面同士が合致した箇所に伝わることにより、製品にまで負荷がかからなくなるため、製品が変形する不具合が低減できる。また、包装天カバーを１つの段ボール箱から折り上げる際、材料の反発を抑えて成形するために粘着テ−プによる固定や専用道具を用意する必要があったが、異なる下フラップ同士が自身の反発力で互いに形状を保持するために、組み立てが容易となっており生産性向上に寄与する。
【００１３】
さらに、包装天カバーの側面は２重に構成し強度があるため手穴を設けることができ、製品のハンドリング性能が向上して、転倒事故等の発生を低減することができる。
【００１４】
第２の発明は、特に第１の発明において、前記補強板を形成する下フラップと前記天面を形成する上フラップに囲まれた空間に、発泡樹脂性の緩衝材を配設したことにより、そして、天面および側面に対する垂直な過重に対して緩衝性が向上し、製品を段積みしたり、横置きしたりする場合において緩衝性能が向上する。
【００１５】
第３の発明は、特に第１または２の発明において、包装天カバーは防水性と剛性のある段ボ−ル板を使用して形成したことにより、稜線や角には剛性があるため前記包装天カバーの強度が確保できるだけでなく、天面および側面に対する垂直な過重に対しては緩衝性があり、製品を段積みしたり、横置きしたりする場合において緩衝性能が向上する。
【００１６】
そして、雨天時など天部が水に濡れるようなことがあっても、緩衝性能が維持できるだけでなく、従来では不可能であった製品を屋外で横に寝かして保管することも可能となるが、これは包装天カバーの十分な強度により製品を支えることができるようになったことと、地面から水分を吸い上げることがなくなり、長時間の保管ができるようになったことによるものである。
【００１７】
（実施の形態１）
図１は、実施の形態１における前方斜視構造展開図、図２は同上方断面図、図３は同包装天カバーの展開図、図４はＡ部拡大図、図５は実施の形態１における前方斜視構造組立図、図６は荷扱い時の形態図である。なお、図１〜図６において、本発明における製品として、背が高く略直方体形状のＣＯ２ヒートポンプ給湯機の製品本体１を用いる。
【００１８】
底部には平面形状の底板２と、アンカーボルト固定用の穴３−１を有した凸形脚３を有し、天部は側面全てを上方より覆い被せ、側面からネジにより固定する構成とする縁を有する天板４と、着脱可能で操作部５−１を有する前板５と、曲げ加工とネジにより固定した外装板７とを有した構成としている。また、天板４は製品本体１設置時には耐震用の固定金具を取り付けることができるよう板厚を厚めにした強度設計がされている。
【００１９】
包装用天カバー７は製品本体１の天板４に嵌合している。９は包装用固定台でアンカーボルト固定用の穴３−１を利用し凸形脚３をボルトナット締結することにより製品本体１を載置する部材であり、木製材料で構成され、製品本体１落下時にかかる衝撃を緩衝するとともに、屋外の水分を含んだ土や砂利を有する地面に接地しても損傷することがないようにしている。
【００２０】
両サイド板１０は、側方の２面を覆って前後に突き出ており、それぞれが対向するよう構成されている。
【００２１】
前後より対向して配置されたコ字型パネル１１は、両サイド板１０のものと重なるよう配置されたトッテ穴１１−１を有している。
【００２２】
上下方向から締結する輪状の包装用バンド１２−１は、包装用固定台９と包装用天カバー７を上下方向より製品本体１に密着固定している。
【００２３】
また側方より締結する輪状の包装用バンド１２−２は、両サイド板１０を覆うように前後より対向して締結している。
【００２４】
トッテ穴１１−１は、荷扱い者が手を掛けズラし移動作業するために使われるものであり、手の力をできるだけ効率よく伝えるため、輪状の包装用バンド１２−２近傍に配置されており、その位置はちょうど人が立って作業する位置と、力を入れるために少しかがんだ位置の２か所設けている。これによって、バンドを掴んで作業することにより発生する切傷事故を防ぐことができる。また前後面と側方面がトッテ穴により一体化するため、包装部材が外れたりせず、運搬作業の安全、安定が実現できる。
【００２５】
前板５には操作部５−１があり、操作部５−１の内部近傍には本体制御部品を有しており、一般的には運搬車両の荷台への横積み、荷台への当て作業は後ろ面で行うようになっており、Ｌ型補強板８を掴むことで作業性が向上するだけでなく、振動により発泡樹脂体が徐々に変形して起こる不具合を防止している。
【００２６】
包装天カバー７は、製品本体１の４側面に対応する側面８の上下にフラップを有する１つの段ボ−ル箱からなり、上フラップ７−１は、上フラップ７−１と側面８との間にある境界線７−２で、９０度内折りされて外箱天面を形成している。
【００２７】
また、下フラップ７−１１は、下フラップ７−１１と側面８との境界線７−３で、１８０度内折りされて側面８と下フラップ７−４とで２重側面を形成している。
【００２８】
そして、さらに下フラップ７−４を、境界線７−２に略近接する箇所で、境界線７−５を境に下方に折り曲げて下フラップ７−６を形成し、さらに下フラップ７−８が製品本体１と接するように境界線７−７で上方に折れることで、下フラップ７−６および下フラップ７−８で構成される補強板が形成される。
【００２９】
そして、下フラップ７−８と上フラップ７−１とが突き当たる箇所７−９で下フラップ７−１０と上フラップ７−１が密着するように折り曲げる。
【００３０】
以上のような包装部材の構成で、とくに少ない人手の作業環境で問題となる運搬車両の荷台への製品積みおろし作業について説明する。
【００３１】
昨今では設備工事は省力化がすすんでおり人手が少なく、背が高く重量物ＣＯ２ヒ−トポンプ給湯機などにおいても運搬はひとり作業が多いのが現状である。作業者はおおむね図６に示すように作業Ａの要領で包装用天カバー７の手穴８−１を持って製品本体１を荷台から降ろしたり上げたりする。
【００３２】
この時、製品本体１と荷台の接点部において、荷台よりａの力がかかってくるが、これはコ字型パネル１１と両サイド板１０の接合部により支えられ、製品１には応力が伝達されない構成となっている。
【００３３】
また、作業者が万一の手滑りで作業Ｂの状態になると、反対面に大きな衝撃ｂがかかる。衝撃ｂは境界線７−５に発生するが、補強板が外箱天面部の変形を防止し、応力を分散して内箱に伝え、応力が局所集中して発生する製品本体１の変形を防止する。
【００３４】
また、包装天カバー７は内箱と外箱を一体にしたことで、貼り合わせ部が少ないシンプルな構成となっており、非常に高い強度を得ることができる。また、部品点数が削減されて、組み立てが容易となっており生産性向上に寄与するだけでなく、包装材料の省資源化を実現している。
【００３５】
さらに、側面８は２重で手穴８−１を設けることができ、製品のハンドリング性能が向上して、転倒事故等の発生を低減することができる。
【００３６】
また、段ボ−ル箱を使用することで、折り曲げ部は剛性があるだけでなく、天面および側面に対する垂直な過重に対しては緩衝性があり、製品を段積みしたり、横置きしたりする場合において緩衝性能が向上する。
【００３７】
また、下フラップ７−１０の端面同士が突き当たる箇所８−２、８−３は異なる下フラップ同士が自身の反発力で互いに形状を保持するようになるため、組み立てが容易で生産性が向上する。
【００３８】
さらに段ボ−ル断面はハニカム構造であるため、この端面同士が合致した箇所８−２、８−３は強度があり、組み立て後も長期にわたりその強度が保たれ、輸送時の衝撃は確実に緩衝される。
【００３９】
また、上フラップ７−１と補強板に囲まれた空間に発泡樹脂性１３を緩衝材としてそなえたることもできる。そうすることで天面および側面に対する垂直な静過重がかかる、製品を段積みしたり横置きしたりする場合において緩衝性能が向上する。
【００４０】
包装天カバー７の材質を防水性のある段ボ−ル板を使用したもよく、雨天時など水に濡れるようなことがあっても、緩衝性能が維持できるだけでなく、従来では不可能であった製品本体１を屋外で横に寝かして保管しても地面から水分を吸い上げることがなくなり、長時間の保管ができるようになる。
【産業上の利用可能性】
【００４１】
以上のように本発明の例にあるヒートポンプ給湯機を普及することは地球温暖化防止に貢献する事であり、ヒートポンプ給湯機の貯湯ユニットのような背高さのある重量物製品については、輸送作業を効率化することが大きな課題である。輸送中に発生する製品変形
の不具合要因の多くが天側の稜および角に加わる衝撃であることがわかっており、本発明の包装部材は天側の稜および角を補強することで、製品天部の局所応力に対する緩衝性能を確保するとともに、包装天カバー厚みを薄くし包装高さを少しでも低くすることで運搬作業性を向上しており、前記課題を解決することができる。
【００４２】
また、本発明の包装材料は再生可能な段ボール紙一枚から折り上げた構成であるため材料の省資源化をも実現することができる。
【図面の簡単な説明】
【００４３】
【図１】本発明の実施の形態における前方斜視構造図
【図２】同上方断面図
【図３】同包装天カバー展開図
【図４】同Ａ部拡大図
【図５】同前方斜視構造組立図
【図６】荷扱い時の形態図
【図７】従来の技術の斜視図
【符号の説明】
【００４４】
１  製品本体
７  包装天カバー
９  包装用固定台
１０  両サイド板
１１  コ字型パネル
１１−１  トッテ穴
１２−１  上下方向から締結する輪状の包装用バンド
１２−２  側方から締結する輪状の包装用バンド
【図１】
0005071095.tif 000002
【図２】
0005071095.tif 000003
【図３】
0005071095.tif 000004
【図４】
0005071095.tif 000005
【図５】
0005071095.tif 000006
【図６】
0005071095.tif 000007
【図７】
0005071095.tif 000008